(57)【要約】  シーティング（Ｓ）を画定する開口部（１４）を提供するタイプの缶用金属蓋であって、この蓋（２０）が、一体片で、自由上端縁部（２３）を設けられかつシート（Ｓ）の内部に摩擦によって着座されかつ軸方向に保持されるように設計されている側壁（２２）を上方かつ周辺に組み込んでいる底部壁（２１）を含む蓋。本発明によれば、底部壁（２１）は、側壁（２２）に隣接した周辺環状部（２１ａ）と、中央部（２１ｂ）と、逆さ「Ｕ」字に似た形の断面を有する環状リブ部（２５）と、を含み、環状リブ部（２５）の側方の脚の自由縁部は、底部壁（２１）の周辺環状部（２１ａ）および中央部（２１ｂ）の隣接した縁部に各々組み込まれる。
2008521716.tif 000002
【特許請求の範囲】
【請求項１】
蓋（２０）が着座されるシート（Ｓ）を画定する開口部（１４）を有するタイプの缶用金属蓋であって、一体片で、自由上端縁部（２３）が設けられかつシート（Ｓ）の内部に摩擦によって着座されかつ軸方向に保持されるように設計された側壁（２２）を上方かつ周辺に組み込んでいる底部壁（２１）を含む、金属蓋であって、底部壁（２１）は、側壁（２２）に隣接した周辺環状部（２１ａ）と、中央部（２１ｂ）と、断面が逆さ「Ｕ」字の形を有する環状リブ部（２５）とを含み、環状リブ部（２５）の側方の脚の自由縁部が、底部壁（２１）の周辺環状部（２１ａ）および中央部（２１ｂ）の隣接した縁部に各々組み込まれていることを特徴とする、金属蓋。
【請求項２】
環状リブ部（２５）が、底部壁（２１）の周辺環状部（２１ａ）および中央部（２１ｂ）から上方に突出することを特徴とする、請求項１に記載の金属蓋。
【請求項３】
底部壁（２１）の中央部（２１ｂ）が、底部壁（２１）の周辺環状部（２１ａ）を含む平面に対してより高い平面に配置されることを特徴とする、請求項２に記載の金属蓋。
【請求項４】
環状リブ部（２５）が、蓋（２０）の側壁（２２）の自由上端縁部（２３）を含む平面（Ｐｓ）より下に配置されることを特徴とする、請求項２に記載の金属蓋。
【請求項５】
底部壁（２１）の周辺環状部（２１ａ）の半径方向幅が、蓋（２０）の側壁（２２）の高さにほぼ等しいことを特徴とする、請求項１に記載の金属蓋。
【請求項６】
開口部（１４）が、缶の上部壁（１３）において設けられ、かつシート（Ｓ）は、開口部（１４）の縁部に上方で組み込まれる垂下管状凸部（１５）によって画定され、前記垂下管状凸部（１５）は、開口部（１４）の内方に、次いで上方にかつ垂下管状凸部（１５）に対向して曲げられた下端部を設けられており、連続管状リブ（１６）を形成し、蓋（２０）の側壁（２２）は、内側において垂下管状凸部（１５）の連続管状リブ（１６）が密封状に嵌められかつ軸方向に保持された連続周辺凹部（２４）を設けられている、金属蓋であって、環状リブ部（２５）は、蓋（２０）の連続周辺凹部（２４）の領域において蓋（２０）の側壁（２２）と交差する平面（Ｐｍ）内に存在する上部縁（２５ａ）を有することを特徴とする、請求項２に記載の金属蓋。
【請求項７】
蓋（２０）が積み重ねられる際、１つの蓋（２０）の周辺環状部（２１ａ）の外側および内側の周辺縁部が、すぐ下に設けられた他の蓋（２０）の周辺凹部（２４）上と環状リブ部（２５）上とに各々着座されることを特徴とする、請求項６に記載の金属蓋。
【請求項８】
蓋（２０）の底部壁（２１）の周辺環状部（２１ａ）および中央部（２１ｂ）が平らであることを特徴とする、請求項１に記載の金属蓋。
【請求項９】
蓋（２０）の底部壁（２１）の中央部（２１ｂ）が、環状リブ部（２５）の隣接した側方の脚の自由な下部縁を含む平面（Ｐｉ）より僅かに下にある平面に存在し、前記中央部（２１ｂ）は、上方かつ外側に傾けられ、環状リブ部（２５）の前記自由な下部縁と一致する周縁環状領域（２ｌｃ）を提供することを特徴とする、請求項８に記載の金属蓋。
【発明の詳細な説明】
【技術分野】
【０００１】
本発明は、自由上端縁部を備えた周側壁を有し、かつ缶の上部開口部内に画定されるシートの内部に摩擦によって着座され、かつ軸方向に保持されるように設計されているタイプの金属蓋に関する。
【背景技術】
【０００２】
上述のタイプの金属蓋は、よく知られている。これらは、金属板の一体片で形成され、かつ一般に円板形の底部壁を含み、この底部壁の周辺縁部は、上方に突出している側壁を組み込んでおり、缶の上部開口部内に画定されるシート内側に取り外し可能にプレス嵌めされ、かつ軸方向に保持されるようになっている。このシートは、円形部または多角形部を有する缶の上部壁の中央開口部に上方で組み込まれている垂下管状凸部によって、画定することができる。
【０００３】
上述のタイプの金属蓋は、米国特許第２，０７４，２３１号明細書、米国特許第３，３４７，４０８号明細書、ブラジル特許第ＭＵ８００２６２２−２号明細書、ブラジル特許第ＭＵ８００２６１８−４号明細書、ブラジル特許第ＰＩ９４０８６４３−５号明細書、およびブラジル特許第ＭＵ７６０１２２１−２号明細書において開示かつ例示されており、最後の２つの特許は、本特許出願と同じ出願人によるものである。
【０００４】
これらの先行技術の構造において、蓋構造体は、底部壁および周側壁のみを含み、缶の上部開口部内に画定されるシートにおいて蓋を軸方向に保持することは、通常は、蓋側壁および上部開口部のシートの部分によって画定される少なくとも１つの部分に設けられた係合手段を介し、他方の部分と共に機能して、達成される。
【０００５】
上述の構造においては、蓋の底部壁が引っ込んでいるまたは張り出している中央部を提供している時でさえも、ブラジル特許第ＭＵ７６０１２２１−２号明細書および米国特許第３，３４７，４０８号明細書に開示された解決策において教示されるように、閉じる力をかける際には、蓋構造体に一定の注意を払う必要がある。さもなければ、蓋缶は回復不可能に損なわれ、缶をしっかりかつ安全に閉じることができなくなる。
【０００６】
上述の構造上の不具合は、上記蓋構造が、一般には実質的に逆台形の断面を有する周辺環状凹部を設けた金属蓋において保証される、通常の周辺強度が不足しているという事実によるものであり、この金属蓋は、相補的な断面を有しかつ缶胴の環状上部壁に組み込まれたシートを画定している凹部の内部に摩擦によって着座されるようになっており、これらは、たとえば何十年も知られている構造におけるようなものであり、かつ、１９０４年出願米国特許７９５，１２６号明細書に開示かつ例示されている。
【０００７】
この非常によく知られている構造においては、蓋の構造によって、缶の上部の環状壁に置かれた際、蓋の輪郭において塑性変形を生じさせる危険性なしに、蓋が押圧されることが可能であるが、蓋は缶のそれ自体のシートにおいて密着して保持されることができない。
【０００８】
周辺凹部の構造は、蓋の張り出した中央部が接合されるそれ自体の領域と共に、高度な構造上の強度をこの蓋に与えるため、使用者が、蓋を着座させ、かつ蓋の異なる場所において力をかけることにより、蓋が変形するまたは蓋の元の形を失う危険性なしに、缶を閉じることができる。
【発明の開示】
【発明が解決しようとする課題】
【０００９】
前述の、および缶の開口部に画定されるシート内側に摩擦によって着座されかつ軸方向に保持される側壁を設けた金属蓋に関する不具合に関連して、本発明の目的は、より高度な構造上の強度を提供し、各々のシート内に蓋を装座させる際に軸方向の圧縮力がかけられる際に、特別な注意を必要とせずに、金属蓋が適切にかつ正しく閉じられることができるようにする、本明細書において考慮されるタイプの金属蓋を提供することである。
【課題を解決するための手段】
【００１０】
本発明のこの目的および他の目的ならびに利点は、上述のタイプの金属蓋を提供することによって達成され、このタイプの金属蓋は、それ自体の底部壁であって、蓋の側壁に隣接する周辺環状部と、中央部と、逆さ「Ｕ」字に似た形状を有する断面を有する環状リブ部とを含み、この環状リブ部の側方の脚の自由縁部が底部壁の周辺環状部および中央部の隣接する縁部に各々組み込まれている、底部壁を有する。
【００１１】
一般に上述のように画定される構造で、缶の底部壁の中央部および周辺環状部は、上記環状リブ部を介して互いに接合され、この環状リブ部は、底部壁の上記中央部および周辺環状部から、好ましくは上方に突出しており、底部壁自体に組み込まれかつ底部壁の周辺環状部の半径方向幅に相当する半径距離によって側壁から間隔をあけられている、構造要素を画定している。
【００１２】
環状リブ部を設けることにより、蓋を形成している金属板の厚さを増す必要なしに、上述の従来技術の構造によって達成される強度よりはるかに高い、構造上の強度が蓋に与えられる。
【００１３】
さらに、本発明の目的による蓋の構造は、底部壁の中央部を、上記底部壁の周辺環状部を含む平面よりも高い平面に維持するように達成され、それにより、閉缶機の蓋供給装置内に蓋が積み重ねられる際、中央部が、環状リブ部と共に、１つの蓋を他方の蓋の上に置くための着座要素として機能することができる。
【００１４】
本発明を、添付の図面を参照にしながら、本発明の蓋のための可能な構造の実施例として、以下に述べる。
【発明を実施するための最良の形態】
【００１５】
添付の図面にて図示したように、本発明の蓋が、缶１０に適用され、その様子が、缶１０の側壁１１の上部のみによって視覚的に例示されているが、この側壁１１の上側縁部１２には、環状上部壁１３の外側の周辺縁部が通常は二重巻締め部１２によって固定されており、環状上部壁１３の中央領域には、開口部１４が設けられており、開口部１４の縁部には、垂下管状凸部１５が組み込まれており、垂下管状凸部１５が、缶の蓋のためのシート（Ｓ）を画定している。図面の図１に示され、かつ本発明の出願人によるブラジル特許第ＰＩ９４０８６４３−５号明細書の目的である、従来技術の構造において、垂下管状凸部１５には、下端部が設けられ、この下端部は、開口部１４の方に内方に曲げられ、次いで上方にかつ垂下管状凸部１５に対向するように曲げられ、上記先行技術特許において説明されるように、たとえば円形の形状を有してもよい、連続管状リブ１６を形成する。
【００１６】
しかし、缶１０の環状上部壁１３の垂下管状凸部１５の構造は、上述の従来技術の文書において例示かつ検討されるように、上記構造上の変形例が本発明の構造上および機能的な目的を変更することなく、異なる構造的配置を有することができることを理解されたい。
【００１７】
上述したように、本発明による蓋２０は、金属板の一体片で形成され、底部壁２１であって、通常は平らな円板の形であり、かつ、側壁２２を上方かつ周辺に組み込んでいる底部壁を含み、この側壁２２は、自由上端縁部２３が設けられ、環状上部壁１３内に設けられた開口部１４の垂下管状凸部１５によって画定されるシート「Ｓ」内側に、摩擦によって着座されかつ軸方向に保持されるように設計されている。
【００１８】
図面に示される例示的な構造において、蓋２０は、連続周辺凹部２４が設けられたそれ自体の側壁２２を有し、この連続周辺凹部２４の内側に、垂下管状凸部１５の連続管状リブ１６が密封状に嵌められかつ軸方向に保持される。例示された構造において、垂下管状凸部１５の連続環状リブ１６と蓋２０の側壁２２の連続周辺凹部２４との両方が、少なくとも部分的に円形かつ相補的である輪郭を提供しており、上記部分が相互に着座されることにより、缶１０の開口部１４における蓋２０の軸方向の保持だけでなく、摩擦により着座が行われるこの領域の密封効果もまた、促進される。しかし、記述の最初に言及した従来技術の文書に示されるように、連続環状リブ１６および連続周辺凹部２４は、図面において例示された管状円形の構成以外の構成を提供してもよいことを理解されたい。
【００１９】
さらに例示の実施形態によれば、蓋２０は、外側へ、下方へかつ側壁２２に対向するように曲げられた、蓋自体の自由上端縁部２３を有しており、開口部１４を取り囲む領域内において、管状上部リブ２３ａが缶１０の環状上部壁１３上に着座されるように画定する。従って、蓋２０の側壁２２の自由上端縁部２３は、上述の従来技術の文献に例示されるように、蓋２０の側壁２２の上部領域において形および配置の変形例が本明細書において提案される本発明の機能的な特性を変更することなく、異なる構造上の形を有することができることを理解されたい。
【００２０】
本発明によれば、蓋２０の底部壁２１は、側壁２２に隣接した周辺環状部２１ａと、通常は平らかつ円板形である中央部２１ｂと、断面が逆さ「Ｕ」字に似た形状を有する環状リブ部２５と、を含み、この環状リブ部の側方の脚の自由縁部が、底部壁２１の周辺環状部２１ａおよび中央部２１ｂの隣接した周辺縁部に各々組み込まれている。
【００２１】
底部壁２１の周辺環状部２１ａおよび中央部２１ｂから好ましくは上方に突出するために、環状リブ部２５は、蓋２０の残部と共に打ち抜かれる。例示されるように、底部壁（２１）の周辺環状部（２１ａ）の半径方向幅は、蓋（２０）の側壁（２２）の高さにほぼ等しく、環状リブ部２５が上記側壁２２から十分な距離の間隔をおいて配置されることができるようになっており、その結果、缶１０の開口部１４に蓋２０を装着させる際に蓋２０にかけられる圧縮力に耐えるための必要な構造上の強度を、蓋２０の周縁領域に与えることができる。
【００２２】
さらに好ましい実施形態によれば、底部壁２１の中央部は、上記底部壁２１の周辺環状部２１ａを含む平面に対し、より高い平面にある。この構造上の配置によって、底部壁２１の中央部２１ｂが環状リブ部２５と共に機能し、自動閉缶機の蓋供給装置内に上記蓋を積み重ねる際に、１つの蓋を他方の蓋の上に置くための着座要素を画定することができる、または、環状上部壁１３が缶１０の側壁１１に二重巻き締めされる前に、蓋２０が自動的に各々の環状上部壁１３にはめ込まれることができる。
【００２３】
図３によりよく示されるように、蓋２０が積み重ねられている間、周辺環状部２１ａの外側および内側の周辺縁部は、蓋２０の側壁２２の周辺凹部２４上および環状リブ部２５上に、各々着座され、蓋２０の軸が同軸的に配置され、かつ側壁２２の自由上端縁部２３が軸方向に間隔をあけて維持されるような状態で、蓋２０が相互に着座することを確実にしている。
【００２４】
環状リブ部２５は、蓋２０の側壁２２の上部自由縁部２３を含む平面Ｐｓ（図２）より下になるように、さらに構成かつ寸法決めされ、蓋部分のそのような相対的な寸法決めは、上記で検討した図３において画定される積み上げ特性に従って行われる。
【００２５】
例示の実施形態において、環状リブ部２５は、通常は蓋２０の周辺凹部２４の領域において蓋２０の側壁２２と交差する平面Ｐｍ（図２）内に存在する上部縁２５ａを有し、この構造においては、側壁２２は、缶１０の上部環状壁１３の垂下管状凸部１５の対応する連続周辺リブ１６を受け入れるタイプの連続周辺凹部２４を有する。例示の実施形態において、蓋２０の底部壁２１の周辺環状部２１ａおよび中央部２１ｂは平らであり、底部壁２１の上記中央部２１ｂは、環状リブ部２５の隣接した側方の脚の自由な下部縁を含む平面Ｐｉ（図２）より僅かに低い平面内に配置されており、上記中央部２１ｂは、上方かつ外側に傾いた周縁環状領域２１ｃを提供しており、環状リブ部２５の上記自由な下部縁と一致するようになっている。
【００２６】
本明細書においては、シート構造と共に、蓋のための一実施形態のみが例示されているが、添付の特許請求の範囲において定義される構造上の概念から逸脱することなく構成要素の形を変えることが可能であることを理解されたい。
【図面の簡単な説明】
【００２７】
【図１】缶の上部領域の直径方向の部分断面図であり、その排出端開口部に、知られている先行技術の解決策に従って構成された蓋が嵌められている。
【図２】図１に類似の図であるが、本発明に従って構成された蓋を例示している。
【図３】１つの蓋の上に他方の蓋が重ねられている際の、本発明による複数の蓋の直径方向の部分断面図である。
【図１】
2008521716.tif 000003
【図２】
2008521716.tif 000004
【図３】
2008521716.tif 000005
【国際調査報告】
2008521716.tif 000006
2008521716.tif 000007